(57)【要約】      （修正有）【課題】蓋を開けると、曲がっていた匙の柄は保存容器の深さよりも長く復元するため、匙のつまみ部を蓋に挿入した状態でも内容物を容器の隅まで取り出すことができる食器等の保存容器を提供する。【解決手段】容器本体の蓋の中央に円形孔を開け、そこに内側より容器の深さよりも長く弾性力のある匙のつまみ部を挿入する。又、匙の蓋受部の形状は球状とする。蓋を閉めた時は、匙の柄は曲がった状態で収納されているため、弾性力により蓋受部が蓋の内側の円形孔を密閉する状態となる。【選択図】図３
0003119553.tif 000002
【実用新案登録請求の範囲】
【請求項１】
容器本体の深さよりも長く弾性力のある柄を持つ匙と、前記容器本体の開口部に係合し、中央に開けられた円形孔を有する蓋とを備え、この円形孔に内側より匙の柄のつまみ部を挿入して、柄のつまみ部が円形孔に係合する食品等の保存容器。
【請求項２】
蓋の円形孔の内側に係合する匙の蓋受部が球状となっている食品等の保存容器。
【考案の詳細な説明】
【技術分野】
【０００１】
本考案は、弾性力のある柄を持つ匙のつまみ部を、蓋の中央に円形孔を開けて蓋の内側より挿入することを特徴とする食品等の保存容器に関するものである。
【背景技術】
【０００２】
食品等の保存容器から内容物を取り出そうとすると毎回匙を探し、そして毎回洗って片付ける必要があり不便を感じることが多かった。従来、このような不便を解消するために多くの実用新案等も提案されているが、実用的になっているとは言えない。これらの提案は大体三つに分類できるので、それぞれについて概説してみたい。
【０００３】
容器を閉めたとき、スプーンの柄が容器外になるようにしたもの。(特願202-337465)
これは蓋とスプーンの構造が複雑に構成されているため、製造するのにも困難を伴う。使用する時、スプーンは蓋からとり外された状態となるため、スプーンや容器内に塵等が付着する。又、洗う場合でも構造が複雑なため細部まで洗いにくく衛生的とはいえない。
【０００４】
内蓋の下面にスプーンの柄を取り付けたもの(実案登録3013097)
これは、スプーンの長さが瓶の深さと同じ位であるため、内蓋だけでは密閉できないので外蓋が必要である。又、外蓋を閉める時、スプーンと内蓋の接合部に負担がかかり壊れやすい。内蓋の上面に設置されたスプーンのつまみを持って使用することになっており、手で触ったつまみは外蓋の内側に密閉されるため非衛生的である。これも構造が複雑なため製造は簡単ではない。洗う場合でも構造が複雑なため細部まで洗いにくく衛生的とはいえない。
【０００５】
外蓋の裏側にスプーンの柄を取り付けたもの(多くの提案がこれである。)
内容物を取り出すのに十分なスプーンの長さが無いため、蓋を付けたままでは最後まで取り出すことは困難である。蓋を開閉する時にスプーンまで回転し内容物をかき混ぜることになる。これも構造が複雑なため製造は簡単ではない。洗う場合でも構造が複雑なため細部まで洗いにくく衛生的とはいえない。
【考案の開示】
【考案が解決しようとする課題】
【０００６】
上記、背景技術に示した欠点を改善する課題の他に、一般的に解決しようとする課題を挙げる。保存容器を開けて使用する場合、匙を容器に入れたままにすれば蓋は開いた状態になるため塵等が入ることがあった。  又、手で触った匙が保存容器の縁に当たることになるため非衛生的であった。
【０００７】
保存容器を開けて使用する場合、匙を保存容器から出すとすれば皿等の上に置くことになるため、塵等が付着することが多く、再度その匙をそのまま保存容器の中に戻して使用することは非衛生的であった。
【０００８】
使用後は毎回匙を取り出して洗う手間が必要であるとともに、その際匙に付いた内容物を捨てる結果となり不経済となっていた。
【０００９】
匙を使用する容器は保存食品と言われるものに多く、毎日数種類を少しずつ食べるのが常態である。家族各人の好みもあり、3個の保存容器を準備したとすれば3本の匙を毎日用意しなければならないため大変煩雑であった。
【課題を解決するための手段】
【００１０】
構造が簡単で内容物を取り出し易く、かつ容器を簡単に密閉できるように考案した。それは、保存容器の深さよりも長く弾性力のある柄を持つ匙のつまみ部を、蓋の中央に開けられた円形孔の内側より挿入するものであるとともに、匙の蓋受部が円形孔に係合する形状とした食品等の保存容器である。又、保存容器の密閉を保つため蓋の円形孔の内側に係合する匙の蓋受部を球状としたものである。
【考案の効果】
【００１１】
構造が簡単である。蓋は中央に円形孔を開けただけであり、匙も簡単な形状であるため製造も容易である。
【００１２】
内容物が取り出し易い。蓋を開けると、匙の曲がった柄は保存容器の深さよりも長く復元するため、匙のつまみ部を蓋に挿入した状態で使用しても、内容物を保存容器の隅まで取り出すことができる。
【００１３】
容器を簡単に密閉することができる。蓋を閉めた時は、匙の柄は曲がった状態で収納されているため、その弾性力により蓋受部が蓋の内側の円形孔を密閉する状態となる。匙の蓋受部が蓋の裏に垂直に係合しない場合でも、蓋受部の形状が球状となっているため蓋の孔を密閉することに変わりはない。
【００１４】
衛生的である。食事中でも、その都度蓋を閉めることができるとともに、手に触れるつまみ部が保存容器の外にあるため衛生的である。又、使用後保存容器等を洗う場合でも保存容器、蓋、匙の構造が簡単なため、洗い残しも無く衛生的である。
【００１５】
手間を省ける。匙は使用後も容器の中にあるため毎回洗う必要が無く、又、使用するとき毎回匙を探す手間を省くことができる。毎回洗う必要が無いため、匙に付いた内容物も無駄なく使用でき経済的である。
【００１６】
内容物をかき混ぜない。匙は蓋の中央に挿入されており、匙のつまみ部は蓋の孔の大きさより可動できる程度に小さいため、開閉時に蓋を回転させても匙が回転し内容物をかき混ぜる事はない。
【考案を実施するための最良の形態】
【００１７】
蓋の中央に、容器本体の深さよりも長く弾性力のある柄を持つ匙のつまみ部を内側より挿入するための円形孔を開ける。匙のつまみ部の大きさは円形孔の中で可動できる程度の大きさとし、匙の蓋受け部は、蓋の内側と垂直に係合しなくても密閉が保たれるように球状とする。匙の柄は弾性力があり、蓋を内側より押し上げ容器の密閉が保たれる程度の強さを持ちながら、容器の内容物の付着を少なくする材質、形状とする。
【実施例】
【００１８】
以下添付図面に従って実施例を説明する。容器本体1の蓋2の中央に円形孔3を開け、匙のつまみ部5を内側より挿入する。蓋を閉めた時は、匙の柄6の弾性力により蓋を内側より押し上げ、図3の状態となり容器を密閉する。匙の蓋受部5aが球状となっているため、蓋2の内側の円形孔3と密着し容器の密閉を確実にしている。匙のつまみ部5の大きさは、蓋の円形孔3の中で可動できる程度の大きさとする。
【００１９】
使用時は図4のとおり、匙の柄6は保存容器の深さより長く、弾性力があるため真っ直ぐに伸び、蓋を装着したままでも容器の隅まで匙の先が届く長さとなり、内容物7を終わりまで取り出すことができる。この図の場合、匙を容器の右の開口部8に近づけると、蓋と容器の開口部との距離がさらに広がるため使い勝手はもっと良くなる。蓋の円形孔3は蓋の中央にあり、開閉するために蓋2を回転させても、匙まで回転し容器の内容物7をかき混ぜることはない。又、開閉する時は、図3の匙の状態となるように、手のひらでつまみ部5を押し下げながら蓋を回転させると、円形孔3と匙に負担をかけることなく軽く行うことができる。
尚、図2には内容物を取り出す部分をスプーン状のものを図示しているが、内容物の種類によっては、それ以外の形状でも良い結果を得ることができる。
【図面の簡単な説明】
【００２０】
【図１】蓋に円形孔を開けた容器本体の全体図である。
【図２】匙の全体図である。
【図３】匙が内蔵された状態を示す容器の断面図である。
【図４】蓋を開けた時の状態を示す容器の断面図である。
【図５】匙が蓋の円形孔に斜めに係合した場合の拡大図である。
【符号の説明】
【００２１】
１  容器本体
２  蓋
３  円形孔
４  匙
５  つまみ部
5a  蓋受部
６  柄
７  内容物
８  開口部
【図１】
0003119553.tif 000003
【図２】
0003119553.tif 000004
【図３】
0003119553.tif 000005
【図４】
0003119553.tif 000006
【図５】
0003119553.tif 000007